(57)【特許請求の範囲】
【請求項１】
複数の正極体と負極体及びセパレータの積層体が電解液と共に袋状ソフトケースの中に収められるキャパシタセルと、この複数個のキャパシタセルを並べて収装するハードケースと、前記キャパシタセルを前記ハードケース内に保持する伝熱枠と、隣り合うキャパシタセルの間に介装され前記伝熱枠により挟持される絶縁材とを備えたことを特徴とする電気二重層キャパシタ。
【請求項２】
前記ハードケースとキャパシタセルの間に介装される絶縁材を備えたことを特徴とする請求項１に記載の電気二重層キャパシタ。
【請求項３】
前記絶縁材として前記ソフトケースの表面に絶縁コーティング層を形成したことを特徴とする請求項１または２に記載の電気二重層キャパシタ。
【発明の詳細な説明】
【０００１】
【発明の属する技術分野】
本発明は、電気二重層キャパシタの改良に関するものである。
【０００２】
【従来の技術】
近年、例えばハイブリッド車、風力発電設備等に用いられる蓄電装置として、急速充電が可能で充放電サイクル寿命が長い、電気二重層キャパシタが注目されている。
【０００３】
この種の電気二重層キャパシタとして、複数個のキャパシタセルをハードケースの中に並べて収装したキャパシタモジュールを設け、このキャパシタモジュールを制御回路の基板とともにユニット化して用いるものがあった。
【０００４】
従来のキャパシタセルとして、複数の正極体及び負極体と、両者の間に介装されるセパレータとが積層される積層体を電解液と共に袋状ソフトケースの中に収めるものがある（特開平３−２０３３１１号公報、参照）。
【０００５】
【発明が解決しようとする課題】
しかしながら、キャパシタセルは袋状ソフトケース自体が絶縁材で形成されているが、袋状ソフトケースが薄いとキャパシタセルの蓄電力が増えるのに伴ってハードケース内に収められたキャパシタセルの間で漏電が生じる可能性がある。なお、袋状ソフトケースの厚さは成形性を確保するうえで制限されるため、袋状ソフトケースのみによってキャパシタセル間の絶縁を十分に行うことが難しいという問題点があった。
【０００６】
本発明は上記の問題点に鑑みてなされたものであり、キャパシタセル間の漏電を防止できる電気二重層キャパシタを提供することを目的とする。
【０００７】
【課題を解決するための手段】
第１の発明は、複数の正極体と負極体及びセパレータの積層体が電解液と共に袋状ソフトケースの中に収められるキャパシタセルと、キャパシタセルをハードケース内に保持する伝熱枠と、隣り合うキャパシタセルの間に介装され伝熱枠により挟持される絶縁材とを備えるものとした。
【０００８】
第２の発明は、第１の発明において、ハードケースとキャパシタセルの間に介装される絶縁材を備えるものとした。
【０００９】
第３の発明は、第１または第２の発明において、絶縁材としてソフトケースの表面に絶縁コーティング層を形成するものとした。
【００１０】
【発明の作用および効果】
第１の発明によると、隣り合うキャパシタセルの間に介装され伝熱枠により挟持される絶縁材によって各キャパシタセル間の漏電が防止され、各キャパシタセルの蓄電力が維持されるとともに、漏電によって起きるキャパシタセルの性能劣化を防止できる。
【００１１】
第２の発明によると、ハードケースとキャパシタセルの間に介装される絶縁材によって各キャパシタセル間の漏電が防止されることにより、各キャパシタセルの蓄電力が維持されるとともに、漏電によって起きるキャパシタセルの性能劣化を防止できる。
【００１２】
第３の発明によると、各キャパシタセルの間に絶縁シートを逐一介装する構造に比べて、キャパシタモジュールの組立工数を大幅に削減できる。
【００１３】
【発明の実施の形態】
以下、本発明の実施の形態を添付図面に基づいて説明する。
【００１４】
図１、図２の（ａ），（ｂ）に示すように、複数個の電気二重層キャパシタセル１が放熱ハードケース２１内に一列に並んで収められ、これらによって一つのキャパシタモジュール２０が形成される。なお、キャパシタモジュール２０を構成するキャパシタセル１の個数はこれに限らない。
【００１５】
図３はキャパシタセル１を示している。キャパシタセル１は、複数の正極体及び負極体と、両者の間に介装される二つ折りのセパレータとが積層され、この積層体が電解液と共に袋状ソフトケース５の中に収められる。
【００１６】
ソフトケース５は、２枚の可撓性積層シート６，７を袋状に合わせて形成され、アルミニウム箔の中間層と、これを挟む樹脂の表層との３層を持つ。ソフトケース５はフランジ部６ａ，７ａが溶着されることによって四角形の帯状をした放熱フィン５ａが形成される。
【００１７】
図４に示すように、ソフトケース５の放熱フィン５ａを挟持する伝熱枠１５が設けられる。伝熱枠１５は、放熱フィン５ａの三辺に沿って延びるコの字状をしている。
【００１８】
キャパシタセル１はこの伝熱枠１５を介して放熱ハードケース２１内に並んで収められる。放熱ハードケース２１は例えばアルミ材等の熱伝導性の高い金属によって形成され、各キャパシタセル１の熱を外気に逃がす働きをする。
【００１９】
絶縁シート２３は隣り合う各キャパシタセル１及び伝熱枠１５の間に挟まれ、これらが互いに触れないようになっている。各キャパシタセル１の間には全て絶縁シート２３が介装され、各キャパシタセル１毎にその漏電を防止するようになっている。
【００２０】
金属製の放熱ハードケース２１に対する各キャパシタセル１の漏電を防ぐ絶縁材として、放熱ハードケース２１と各キャパシタセル１の間に２枚の絶縁シート２２と２枚の絶縁シート２３が介装される。この絶縁シート２２，２３は、各キャパシタセル１の上部を除いて囲むように介装される。絶縁シート２２は放熱ハードケース２１の内壁面に沿ってコの字形に折り曲げられ、放熱ハードケース２１の内壁面に隙間無く敷かれる。絶縁シート２２は伝熱枠１５の両側部及び下部に当接し、伝熱枠１５が放熱ハードケース２１に触れないようになっている。矩形の絶縁シート２３は両端部に配置されるキャパシタセル１及び伝熱枠１５と放熱ハードケース２１の間に介装される。絶縁シート２２，２３は例えばポリエステルフィルム等の絶縁材からなる。
【００２１】
なお、キャパシタセル１の所定数毎に絶縁シート２３を介装して、絶縁シート２３の使用量を減らすことも考えられる。
【００２２】
また、キャパシタセル１をそれぞれ袋状をした絶縁材に収めても良い。
【００２３】
また、放熱ハードケース２１と各キャパシタセル１の間に介装される絶縁シートを袋状に一体形成しても良い。
【００２４】
また、放熱ハードケース２１自体を絶縁性を有する樹脂によって形成し、放熱ハードケース２１と各キャパシタセル１の間に介装される絶縁シートを廃止することも可能である。
【００２５】
また、隣り合うキャパシタセル１間の漏電を防止する絶縁材として、各キャパシタセル１のソフトケース５の表面にワニス等の絶縁材を塗布して絶縁コーティング層を形成しても良い。この場合、各キャパシタセル１の間に絶縁シートを逐一介装する構造に比べて、キャパシタモジュール２０の組立工数を大幅に削減できる。
【００２６】
本発明は上記の実施の形態に限定されずに、その技術的な思想の範囲内において種々の変更がなしうることは明白である。
【図面の簡単な説明】
【図１】本発明の実施の形態を示すキャパシタモジュールの分解斜視図。
【図２】同じく（ａ）はキャパシタモジュールの平面図、（ｂ）はキャパシタモジュールの側面図。
【図３】同じくはキャパシタセルの斜視図。
【図４】同じく伝熱枠の斜視図。
【符号の説明】
１  キャパシタセル
５  ソフトケース
１５  伝熱枠
２０  キャパシタモジュール
２１  放熱ハードケース
２２，２３  絶縁シート
【図１】
0003851197.tif 000002
【図２】
0003851197.tif 000003
【図３】
0003851197.tif 000004
【図４】
0003851197.tif 000005